(57)【特許請求の範囲】
【請求項１】
一方の長尺材に他方の長尺材端部を突き当てて組み付ける個所に用い、一端寄りを一方の長尺材に差し込んで係止にすると共に、他端寄りを他方の長尺材にその中心軸に沿って埋設する杆材を有し、杆材に設けた複数の貫通部に他方の長尺材へ横断方向に挿通したピンをそれぞれ係合して、杆材と他方の長尺材を係止する接合金物であって、杆材に設ける前記貫通部を杆材中心軸から両側ヘ交互に変位して設けることを特徴とした接合金物。
【請求項２】
杆材が中実であることを特徴とした請求項１に記載の接合金物。
【請求項３】
杆材が厚手の平鋼板より成ることを特徴とした請求項１に記載の接合金物。
【請求項４】
貫通部が、透孔であることを特徴とした請求項１〜３のいずれか一つに記載の接合金物。
【請求項５】
貫通部が、杆材の周縁部を抉って形成した切欠溝であることを特徴とした請求項１〜３のいずれか一つに記載の接合金物。
【請求項６】
杆材に、貫通部と平行な軸に対して直交する貫通孔を設けてあることを特徴とした請求項１〜５のいずれか一つに記載の接合金物。
【発明の詳細な説明】
【０００１】
【発明が属する技術分野】
本発明は、土台と柱の接合個所、柱と梁の接合個所等、一方の長尺材に他方の長尺材端部を突き当てて接合するのに用いる接合金物に関する。
【０００２】
【従来の技術】
一方の長尺材に他方の長尺材端部を突き当てて組み付ける個所は、木造軸組構造の住宅における基礎と土台との結合個所、土台と柱の結合個所、柱と梁あるいは筋交いとの結合個所等のように多くあり、このような結合個所に様々な接合金物が用いられている。
このうち、土台と柱の緊結に用いる接合金物としては、背板の下端を前方に張り出してボルト挿通部を形成した引寄せ金物がある。
【０００３】
この引き寄せ金物で土台と柱を接合するには、土台または布基礎に固定した引き寄せボルトの上端を引寄せ金物のボルト挿通部に挿通すると共に、背板を柱の正面に当て付けてボルトで強固に固定し、引寄せボルトの上端に引寄せナットをねじ込む。そして、引寄せナットを締め込むにしたがって、柱は土台に対して強く引き寄せられ、柱と土台が緊結される。
ところが、このような接合金物は柱の外部に露出する部分が多く、柱と土台が接合している角部に筋交いを入れたり、壁パネルを取り付ける場合に邪魔になることがある。
【０００４】
そこで、図５に示すような接合金物ａ(ホゾ棒金物)を用いることがある。
接合金物ａは、座板ｂと、座板ｂの上面に起立するパイプｃを備え、パイプｃに複数の貫通孔ｄをそれぞれがパイプの中心軸と直交するように並べて形成し、必要に応じて、貫通孔ｄと平行な軸に対して直交する方向の貫通孔ｄ’を形成してある。
この接合金物ａによって土台ｅと柱ｆを接合するには、土台ｅを設置する際に、その下面に形成した座刳に座板ｂを嵌め込むと共に、パイプｃで土台ｅを貫通しておく。また、柱ｆの下部にその中心軸に沿って深穴を形成しておき、この深穴に土台ｅから突出するパイプｃを挿入して、柱ｆの下端を土台ｅの上面に突き当てる。
次いで、柱ｆを横断するように複数のピンｇを打ち込むと共に、これらのピンｇをパイプｃに形成した貫通孔ｄ，ｄ’にそれぞれ挿通して、パイプｃと柱ｆを固定する。
【０００５】
ところで、直下型地震等の際に強い縦揺れがあると、柱が抜けて建物が倒壊する被害が多く発生する。これを防ぐためには、土台と柱の接合部の１個所につき、最低でも３トンの引き抜き耐力が得られる接合金物を使用することが必要とされている。実際には、このような個所に使用する接合金物自体の引っ張りに対する耐力を８トン程度に設定して安全を期している。
ところが、上記した接合金物ａのように、ピンｇと係合する複数の貫通孔ｄをどれも中心軸に沿うなど一線に並べて形成すると、柱ｆに引き抜き力が加わった時に、この力が柱ｆの断面の１点に集中して作用し、接合金物ａ自体の強度は十分であっても、１トン以下の引き抜き力で柱ｆが割れてピンｇが利かなくなり、柱ｆが倒れる虞があった。
また、柱に差し込む接合金物は柱材を損傷しない観点からなるべく細いほうが好ましい。
【０００６】
【発明が解決しようとする課題】
本発明は、木造軸組住宅における柱と土台の緊結のように、一方の長尺材に他方の長尺材を突き当てて組み付ける個所に用いるホゾ棒類似の接合金物であって、接合部に加わる引き抜き力を分散させることにより他方の長尺材の破損や変形を防ぎ、一方の長尺材と他方の長尺材を強固に接合することができる接合金物及び、ピンが貫通する部分の強度が高い接合金物の提供を課題とする。
【０００７】
【課題を解決するための手段】
接合金物は、杆材と座板とからなり、杆材の一端に座板を固定し、使用時は杆材を一方の長尺材に差し込んで座板で一方の長尺材に係止し、杆材を他方の長尺材にその中心軸に沿って埋設する。
杆材と一方の長尺材とは、一方の長尺材及び杆材を貫いてピンを通すことにより固定することもできる。
杆材には、ピンを挿通するために複数の貫通部を、杆材の中心軸に対して千鳥状に、即ち、中心軸から両側ヘ交互に変位させて形成してある。そして、他方の長尺材へ横断方向に挿通したピンをこれらの貫通部にそれぞれ係合して、他方の長尺材と杆材とを係止し、これにより、一方の長尺材と他方の長尺材を接合金物によって緊結する。
【０００８】
一方の長尺材から他方の長尺材を引き離そうとする力が働いた時に、ピンを介して他方の長尺材に加わる力は、ピンが千鳥に配置されていることにより、断面の一個所に集中せず分散するので、他方の長尺材に割れ等の破損や変形が発生するのを防止できる。
杆材は、中実の丸鋼や平鋼のこともあれば、パイプのこともある。また、ピンを挿通する貫通部は、透孔であっても良いし、杆材の周縁部を抉って形成した切欠溝とすることもできる。
杆材に、一方の貫通部の方向と直交する方向の貫通部を設けると、これに差し込んだピンにより、引き抜き力の作用方向が変化した時の耐力が増加し、接合強度が高まる。ただし、ピンを直交させて配置できる接合個所には制限がある。
【０００９】
【発明の実施の形態】
図１及び図２は、この発明による接合金物１の第１の実施形態を示し、木造軸組み住宅の土台２（一方の長尺材）と柱３（他方の長尺材）の接合部分に使用している。
接合金物１は、下部を土台２へ横断するよう(上下方向に)差し込んで係止可能であって、上部を柱３の下部に中心軸に沿って埋設する杆材４を有する。
【００１０】
杆材４は、長さ３１０mm、直径２６．６mmの丸鋼より成り、その下端部を円形の座板５の中心にアーク溶接することにより、座板５の上面中央に起立している。座板５は、直径９０mm、板厚６mmの鉄板とする。
杆材４の柱３に埋設される部分には、周縁部を抉って３個の切欠溝（貫通部）６を形成してある。切欠溝６の断面形状は、奥部が円弧状に湾曲したＵ字状であって、その断面の高さ寸法及び幅寸法は１３mm程度である。
また、切欠溝６は、杆材４の中心軸から変位して中心軸を挟んだ両側ヘ交互に形成してある。すなわち、図において最も上方の切欠溝６と下方の切欠溝６を杆材４の左側に形成し、中間の切欠溝６を杆材４の右側に形成して、いわゆる千鳥に配置してある（図２）。なお、切欠溝６は約６０mmの間隔をおいて上下に配置してあり、最も下方の切欠溝６と座板５との距離が、一般的な土台３の高さである１２０mmよりも大きい１６０mm程度となっている。
【００１１】
この接合金物１は、土台２を布基礎７上に設置する際に、土台２に係止する。柱３を突き当てる位置において、土台２に杆材４を差し込むための円孔を上下方向に穿設し、土台２の下面に座板５を係合するための円形の座刳を、円孔の下端を囲むように形成しておく。
そして、接合金物１の座板５を土台２の座刳に係合し、杆材４を土台２の円孔に下から上に向けて通し、この状態で土台２を布基礎７の上に設置して、布基礎７から突出するアンカーボルト８により固定する。
【００１２】
柱３の下部には、杆材４を挿入するための円筒状の深穴を中心軸に沿って形成し、杆材４の切欠溝６と対応する位置には、深穴を横切って柱３を横断するようにピン挿通孔を形成してある。
柱３の下端面を土台２の上面に突き当てて、土台２から突出する杆材４を柱３の深穴に挿入する。次いで、柱３のピン挿通孔及び接合金物１の切欠溝６にピン９（直径１３mm程度）をそれぞれ打ち込んで、接合金物１の杆材４を柱３に係止し、これにより、土台２と柱３を接合金物１で結合する。
【００１３】
柱３のピン挿通孔及び接合金物１の切欠溝６にピン９を打ち込むとき、ピン挿通孔と切欠溝６の軸方向が一致しないことがあるが、この場合は、接合金物１を平面方向に回転させて簡単に調整することができる。
また、加工時の寸法誤差等によって、ピン挿通孔の位置と切欠溝６の位置がずれていることがあるが、わずかであり、１本のピン９をピン挿通孔及び切欠溝６に叩き込むことにより、他のピン挿通孔と切欠溝６も位置合わせされる。
【００１４】
この接合金物１は、ピン９が通る切欠溝６の配置が前記のように千鳥となっているので、柱３に加わる引き抜き力を断面の比較的広い領域に分散させ、強い引き抜き力が加わっても柱３が割れ難く、柱３の性能によっても異なるが、１〜２．５トンの引き抜き力に十分耐えることができる。
しかも、切欠溝６は杆材４の中心軸から変位して配置されているために(図２、ニ)、杆材４の中心軸上に貫通部を形成する(図２、ホ)のに比べて、切欠溝６を形成したことによる杆材４の断面の欠損が少なく、接合金物１の強度の低下を防止できる。
また、接合金物１は、土台２及び柱３に埋め込まれて外部に露出する部分がないので、壁パネルや筋交いを取り付けるのに邪魔にならない。
【００１５】
図３は第２の実施形態を示し、丸鋼より成る杆材４に、貫通部となる３個の透孔１０を、中心軸から両側ヘ交互に変位させて形成してある。透孔１０は直径１４mmとする。
図４は第３の実施形態を示し、杆材４を平鋼で形成してある。杆材４に関して、高さ３１０mm、幅２６．６mm、厚さ９mmとする。杆材４には、３個の透孔１０から成る貫通部を、杆材４の幅方向の中心軸から交互に両側ヘ変位させて形成してある。
この接合金物１を用いる場合には、柱３の下部に形成する深穴の直径を杆材４を構成する平鋼の幅に一致させ、ガタが生じないようにすることが好ましい。
第２及び第３の実施形態における接合金物１を用いても、１〜２．５トンの引き抜き耐力が得られる。
【００１６】
なお、以上の各実施形態において、杆材４の寸法、切欠溝６及び透孔１０の数並びに寸法等は適宜変更可能である。また、杆材４として、丸鋼、平鋼等の中実材に代えてパイプを用いることもできる。
杆材４に、切欠溝６及び透孔１０と平行な軸に対して直交する貫通孔を設け、柱３へピン９と直角方向に打ち込んだピンを貫通孔に通して、杆材４と柱３とを係止すると、いっそう接合強度が高まる。
杆材４に座板５を設けず、土台２及び杆材４の下端寄りを貫通するようピンを打ち込んで、杆材４を土台２に係止しても良い。
本発明の接合金物は、土台と柱の接合以外にも使用できる。
【００１７】
【発明の効果】
接合金物と他方の長尺材を係止するピンが、接合金物の中心軸から両側ヘ分散して配置されるので、他方の長尺材に強い引き抜き力が働いたときに、ピンを介して他方の長尺材に加わる応力が他の長尺材における断面の一個所に集中せずに分散し、他方の長尺材の割れ等、他方の長尺材の破損や変形などを防ぐことができる。
接合金物の杆材が中実の丸鋼であるとき、ピンを挿通する貫通部が杆材の中心軸から変位した位置にあるため、杆材の貫通部個所を横断する断面において残されている肉部が多く、接合金物自体の引っ張り方向に対する耐力が高い。
【００１８】
接合金物は一方の長尺材及び他方の長尺材に埋め込まれて外部に露出しないので、一方の長尺材と他方の長尺材の接合部にパネルや筋交いを取り付けるのに邪魔にならない。また、一方の長尺材及び他方の長尺材に埋め込まれていることにより、寒冷地において接合金物に結露してその結果生じる不都合を解消することができる。
ピンを引き抜くことにより、一方の長尺材と他方の長尺材を破壊せずに分離できるため、建造物を解体した後に接合金物及び長尺材を再利用できる。
【図面の簡単な説明】
【図１】（イ）は第１の実施形態を示す斜視図、（ロ）はその使用状態を示す斜視図
【図２】（イ）は平面図、（ロ）は正面図、（ハ）は側面図、(ニ)は(ロ)のＡ-Ａ断面、(ホ)は従来のものの断面
【図３】（イ）は第２の実施形態を示す斜視図、（ロ）はその使用状態を示す斜視図
【図４】（イ）は第３の実施形態を示す斜視図、（ロ）はその使用状態を示す斜視図
【図５】（イ）、（ロ）、（ハ）は従来例について説明するための斜視図
【符号の説明】
１  接合金物
２  土台
３  柱
４  杆材
５  座板
６  切欠溝（貫通部）
７  布基礎
８  アンカーボルト
９  ピン
１０  透孔（貫通部）
【図１】
0004319769.tif 000002
【図２】
0004319769.tif 000003
【図３】
0004319769.tif 000004
【図４】
0004319769.tif 000005
【図５】
0004319769.tif 000006